(57)【特許請求の範囲】
【請求項１】
上下に離間して略対向する天板及び底板、並びに、該天板及び底板の後端部同士を連結する連結板からなる、前記天板と前記底板との間隔が狭い狭間隔状態から前記間隔が広い広間隔状態まで弾性変形可能な、前面が開放された左右側面視略コ字状のケース本体と、
前記天板及び底板間に設けられ、前記狭間隔状態及び前記広間隔状態を切替え可能な切替手段とを備え、
前記狭間隔状態において前記ケース本体内にメガネを保持し、前記広間隔状態において前記ケース本体の左右側面開口部からメガネを出入れすることを特徴とするメガネケース。
【請求項２】
前記狭間隔状態において、該間隔が狭くなるのを抑制するように前記切替手段が前記天板と前記底板との間に介在する請求項１記載のメガネケース。
【請求項３】
前記連結板の板厚を前記天板及び底板の板厚よりも薄くし、前記ケース本体を前記広間隔状態とする外力に抗する前記連結板の曲げ剛性を、前記ケース本体を前記広間隔状態とする外力に抗する前記天板及び底板の曲げ剛性よりも小さくしてなる請求項１記載のメガネケース。
【請求項４】
前記天板を、左右方向の中央から左右に行くにしたがって下降するように傾斜させてなる請求項１記載のメガネケース。
【請求項５】
前記天板の前側部分を前方に行くにしたがって下降するように傾斜させ、前記ケース本体を、前記狭間隔状態から前記広間隔状態に近づくにしたがって弾性変形量が大きくなるように形成してなり、
前記切替手段が、上部に前記天板の下面に当接する当接部が設けられ、下部が前記底板前部に左右方向軸まわりに揺動可能に支持された揺動部材であり、
該揺動部材が後方に揺動した状態で前記狭間隔状態となり、該揺動部材が前方に揺動して前記当接部が前記天板の下面に当接した状態で前記広間隔状態となる請求項１記載のメガネケース。
【請求項６】
前記天板の前側部分を前方に行くにしたがって下降するように傾斜させ、前記ケース本体を、前記狭間隔状態から前記広間隔状態に近づくにしたがって弾性変形量が大きくなるように形成してなり、
前記切替手段が、上部に前記天板の下面に当接する当接部が設けられ、下部が前記底板前部に前後スライド可能に支持されたスライド部材であり、
該スライド部材が後方にスライドした状態で前記狭間隔状態となり、該スライド部材が前方にスライドして前記当接部が前記天板の下面に当接した状態で前記広間隔状態となる請求項１記載のメガネケース。
【請求項７】
前記天板の左右方向中央部前側部分を前後方向に切欠き、該切欠部から前記揺動部材又はスライド部材の上部を外側へ突出させて操作部としてなる請求項５又は６記載のメガネケース。
【発明の詳細な説明】
【技術分野】
【０００１】
本発明は、メガネの不使用時に該メガネを収容して保護するメガネケースの改良に関するものである。
【背景技術】
【０００２】
メガネの不使用時に該メガネを収容して保護するメガネケースとして、金属又は合成樹脂等からなる収容部（下蓋）と蓋部（上蓋）とをヒンジで連結してなるハードケースタイプ（例えば、特許文献１ないし３参照。）、及び、皮革、ビニール若しくは布等の柔軟性のある素材からなる袋状又は輪状のソフトケースタイプ（例えば、特許文献４及び５参照。）がある。
【０００３】
【特許文献１】特開２００４−２０２１２５号公報（図１）
【特許文献２】登録実用新案第３１０４０５８号公報（図１、図４）
【特許文献３】実開平４−７４０２９号公報（第１図、第２図、第４図）
【特許文献４】特開２００４−１２９９０１号公報（図２−４、図１１）
【特許文献５】特開２００４−７３３３８号公報（図１−３）
【発明の開示】
【発明が解決しようとする課題】
【０００４】
上記ハードケースタイプは、収容したメガネの保護性能が高いものであるが、メガネの大きさに対してケースが大きく嵩張るものであるため、持ち運び時に邪魔になるという問題点がある。また、ケース内に厚い緩衝材等を収容しておかないとメガネをケース内で安定して保持することができないという問題点がある。さらに、構造が比較的複雑であるためコストが増大するという問題点がある。さらにまた、メガネの出入れ時には蓋部（上蓋）を開ける必要があるため、メガネを容易に出入れすることができないという問題点もある。
【０００５】
また、上記ソフトケースタイプは、嵩張らないため持ち運びに便利であること、構造が比較的簡素であるためコストを低減することができること、メガネの出入れが比較的容易であること等の特徴があるが、メガネケースの基本的性能であるメガネの保護性能が低いという問題点がある。
【０００６】
本発明は、前記のような問題点を解決するためになされたものであり、メガネの保護性能を高く維持しながら、持ち運びの容易性、メガネの出入れの容易性及びコストの低減を実現することができる実用性の高いメガネケースを得ること目的とする。
【課題を解決するための手段】
【０００７】
本発明に係るメガネケースは、前記課題解決のために、上下に離間して略対向する天板及び底板、並びに、該天板及び底板の後端部同士を連結する連結板からなる、前記天板と前記底板との間隔が狭い狭間隔状態から前記間隔が広い広間隔状態まで弾性変形可能な、前面が開放された左右側面視略コ字状のケース本体と、前記天板及び底板間に設けられ、前記狭間隔状態及び前記広間隔状態を切替え可能な切替手段とを備え、前記狭間隔状態において前記ケース本体内にメガネを保持し、前記広間隔状態において前記ケース本体の左右側面開口部からメガネを出入れするものである。
【０００８】
ここで、前記狭間隔状態において、該間隔が狭くなるのを抑制するように前記切替手段が前記天板と前記底板との間に介在すると好ましい。
【０００９】
また、前記連結板の板厚を前記天板及び底板の板厚よりも薄くし、前記ケース本体を前記広間隔状態とする外力に抗する前記連結板の曲げ剛性を、前記ケース本体を前記広間隔状態とする外力に抗する前記天板及び底板の曲げ剛性よりも小さくしてなると好ましい。
【００１０】
さらに、前記天板を、左右方向の中央から左右に行くにしたがって下降するように傾斜させてなると好ましい。
【００１１】
さらにまた、前記天板の前側部分を前方に行くにしたがって下降するように傾斜させ、前記ケース本体を、前記狭間隔状態から前記広間隔状態に近づくにしたがって弾性変形量が大きくなるように形成してなり、前記切替手段が、上部に前記天板の下面に当接する当接部が設けられ、下部が前記底板前部に左右方向軸まわりに揺動可能に支持された揺動部材であり、該揺動部材が後方に揺動した状態で前記狭間隔状態となり、該揺動部材が前方に揺動して前記当接部が前記天板の下面に当接した状態で前記広間隔状態となると好ましい。
【００１２】
また、前記天板の前側部分を前方に行くにしたがって下降するように傾斜させ、前記ケース本体を、前記狭間隔状態から前記広間隔状態に近づくにしたがって弾性変形量が大きくなるように形成してなり、前記切替手段が、上部に前記天板の下面に当接する当接部が設けられ、下部が前記底板前部に前後スライド可能に支持されたスライド部材であり、該スライド部材が後方にスライドした状態で前記狭間隔状態となり、該スライド部材が前方にスライドして前記当接部が前記天板の下面に当接した状態で前記広間隔状態となると好ましい。
【００１３】
さらに、前記天板の左右方向中央部前側部分を前後方向に切欠き、該切欠部から前記揺動部材又はスライド部材の上部を外側へ突出させて操作部としてなると好ましい。
【発明の効果】
【００１４】
本発明に係るメガネケースによれば、上下に離間して略対向する天板及び底板、並びに、該天板及び底板の後端部同士を連結する連結板からなる、前記天板と前記底板との間隔が狭い狭間隔状態から前記間隔が広い広間隔状態まで弾性変形可能な、前面が開放された左右側面視略コ字状のケース本体と、前記天板及び底板間に設けられ、前記狭間隔状態及び前記広間隔状態を切替え可能な切替手段とを備え、前記狭間隔状態において前記ケース本体内にメガネを保持し、前記広間隔状態において前記ケース本体の左右側面開口部からメガネを出入れするので、前記略対向する天板及び底板でメガネを保持しながら保護するため、メガネの保護性能を高く維持することができると共に嵩張らないため持ち運び時に邪魔になることがない。また、前記ケース本体の左右側面開口部からメガネを容易に出入れすることができる。さらに、簡素な構成により、コストを低減することができると共に意匠性を向上することができる。
【００１５】
また、前記狭間隔状態において、該間隔が狭くなるのを抑制するように前記切替手段が前記天板と前記底板との間に介在すると、前記天板と前記底板との間に収容したメガネの保護性能をより向上させることができる。
【００１６】
さらに、前記狭間隔状態又は広間隔状態とするための前記ケース本体の主な弾性変形部分が前記連結板であると、
さらに、前記連結板の板厚を前記天板及び底板の板厚よりも薄くし、前記ケース本体を前記広間隔状態とする外力に抗する前記連結板の曲げ剛性を、前記ケース本体を前記広間隔状態とする外力に抗する前記天板及び底板の曲げ剛性よりも小さくしてなると、例えば前記天板及び底板の縦弾性係数を大きくするか又は断面二次モーメントを大きくして前記天板及び底板の剛性及び強度を高くすることができるため、前記天板と前記底板との間に収容したメガネの保護性能をより向上させることができる。
【００１７】
さらにまた、前記天板を、左右方向の中央から左右に行くにしたがって下降するように傾斜させてなると、該天板がメガネの形状に沿うと共に前記狭間隔状態における左右側面開口部がより小さくなるため、メガネをより安定かつ確実に保持することができる。
【００１８】
また、前記天板の前側部分を前方に行くにしたがって下降するように傾斜させ、前記ケース本体を、前記狭間隔状態から前記広間隔状態に近づくにしたがって弾性変形量が大きくなるように形成してなり、前記切替手段が、上部に前記天板の下面に当接する当接部が設けられ、下部が前記底板前部に左右方向軸まわりに揺動可能に支持された揺動部材であり、該揺動部材が後方に揺動した状態で前記狭間隔状態となり、該揺動部材が前方に揺動して前記当接部が前記天板の下面に当接した状態で前記広間隔状態となると、前記揺動部材を前方に揺動させると、前記天板の下面に前記当接部が当接した状態で、該当接部に前記ケース本体の弾性変形の復元力が作用して前記当接状態が維持されて前記広間隔状態となり、メガネの出入れを行うことができる。そして、メガネの出入れ後は、前記復元力により前記揺動部材が容易に後方に揺動するため容易に前記狭間隔状態にすることができる。このような構成により、前記ケース本体及び揺動部材からなるメガネケースの構成がより簡素となるため、コストをより低減することができる。
【００１９】
さらに、前記天板の前側部分を前方に行くにしたがって下降するように傾斜させ、前記ケース本体を、前記狭間隔状態から前記広間隔状態に近づくにしたがって弾性変形量が大きくなるように形成してなり、前記切替手段が、上部に前記天板の下面に当接する当接部が設けられ、下部が前記底板前部に前後スライド可能に支持されたスライド部材であり、該スライド部材が後方にスライドした状態で前記狭間隔状態となり、該スライド部材が前方にスライドして前記当接部が前記天板の下面に当接した状態で前記広間隔状態となると、前記スライド部材を前方にスライドさせると、前記天板の下面に前記当接部が当接した状態で、該当接部に前記ケース本体の弾性変形の復元力が作用して前記当接状態が維持されて前記広間隔状態となり、メガネの出入れを行うことができる。そして、メガネの出入れ後は、前記復元力により前記スライド部材が容易に後方にスライドするため容易に前記狭間隔状態にすることができる。このような構成により、前記ケース本体及びスライド部材からなるメガネケースの構成がより簡素となるため、コストをより低減することができる。
【００２０】
さらにまた、前記天板の左右方向中央部前側部分を前後方向に切欠き、該切欠部から前記揺動部材又はスライド部材の上部を外側へ突出させて操作部としてなると、該操作部を前方に操作することにより容易に前記広間隔状態とすることができるため、メガネの出入れを行うための操作性を向上することができる。
【発明を実施するための最良の形態】
【００２１】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、ケース本体の長手方向を左右方向とし、該ケース本体を左右側面から見た略コ字状の開放側を前、その反対を後とする。また、ケース本体の開放側に向かって（前方から後方に向かって）見た図を正面図とする。
【００２２】
実施の形態１．
図１〜図７は本発明の実施の形態１に係るメガネケースの構成を示す説明図であり、図１はメガネを収容して保持した状態（狭間隔状態）を示す斜視図、図２はメガネの出入れ可能な状態（広間隔状態）を示す斜視図、図３は狭間隔状態の正面図、図４は同じく平面図、図５は同じく右側面図、図６は同じく縦断右側面図（図３の矢視Ａ−Ａ断面図）であり、図６（ａ）は狭間隔状態を、図６（ｂ）は広間隔状態を示している。また、図７はケース本体及び切替手段の分解斜視図である。
【００２３】
メガネケース１は、上下に離間して略対向する天板３及び底板４並びに天板３及び底板４の後端部同士を連結する連結板５からなる、前面が開放された（前面開口部Ｆ）左右側面視略コ字状のケース本体２と、天板３及び底板４間に設けられ、天板３と底板４との間隔が狭い狭間隔状態Ｎ及び該間隔が広い広間隔状態Ｗを切替え可能な切替手段６等とからなり、図１に示すように前記狭間隔状態Ｎにおいてケース本体２内にメガネＧを保持することができ、図２に示すように前記広間隔状態Ｗにおいてケース本体２の左右側面開口部Ｓ，ＳからメガネＧを出入れすることができるものである。
【００２４】
ケース本体２は、図７に示すように変形していない自由状態においては、天板３と底板４との間隔が狭い狭間隔状態Ｎとなっており、天板３の前側部分は前方に行くにしたがって下降するように湾曲している。なお、天板３の前側部分は前方に行くにしたがって下降するように直線的に傾斜させてもよい。したがって、ケース本体２は、前記狭間隔状態Ｎから前記広間隔状態Ｗに近づくにしたがって弾性変形量が大きくなるように形成されており、図１、図２及び図６に示すように、前記狭間隔状態Ｎから前記広間隔状態Ｗまでケース本体２が弾性変形することにより、左右側面開口部Ｓ，ＳからメガネＧの出入れが可能となる。
【００２５】
ここで、ケース本体２を構成する前記天板３、底板４及び連結板５は、所望の強度及び剛性を有するように材質及び厚さ等を選択して形成される。前記天板３、底板４及び連結板５は、例えば、ポリアセタール、ポリプロピレン、ナイロン若しくはＡＢＳ等のプラスチック、エポキシ樹脂、ポリブチレンテレフタレート若しくはポリアセタール等の母材をカーボン繊維、ガラス繊維若しくはアラミド繊維等により強化してなる繊維強化プラスチック、又は、薄板状の焼入れ鋼等により一体成形されるが、必ずしも一体ではなく別体の天板３、底板４及び連結板を用いてもよい。
【００２６】
本実施の形態では、図１、図２及び図６に示すように、ケース本体２の連結板５の板厚を天板３及び底板４の板厚よりも薄くし、ケース本体２を前記広間隔状態Ｗとする外力に抗する連結板５の曲げ剛性を、天板３及び底板４の該曲げ剛性よりも小さくして、ケース本体２の主な弾性変形部分が連結板５であるように構成している。したがって、例えば天板３及び底板４の縦弾性係数を大きくするか又は断面二次モーメントを大きくして天板３及び底板４の剛性及び強度を高くすることができるため、天板３と底板４との間に収容したメガネＧの保護性能をより向上させることができる。
【００２７】
このような構成のメガネケース１によれば、所望の強度及び剛性を有し略対向する天板３及び底板４でメガネＧを保持しながら保護するため、メガネＧの保護性能を高く維持することができると共に嵩張らないため持ち運び時に邪魔になることがない。また、前記広間隔状態Ｗにおいてケース本体２の左右側面開口部Ｓ，ＳからメガネＧを容易に出入れすることができる。さらに、簡素な構成により、コストを低減することができると共に意匠性を向上することができる。
【００２８】
切替手段６は、本実施の形態では、天板３の下面に当接する当接部９が上部に設けられ、底板４前部に左右方向軸１１まわりに揺動可能に下部が支持された揺動部材７である。該揺動部材７の下部の通孔７ａに左右方向軸１１を嵌入し、底板４の左右方向中央部前側部分に形成された前後方向の長孔４ａの前後方向の略中央に位置するように左右方向軸１１を長孔４ａに係合させ、左右方向軸１１から左右に延出する固定片１２を底板４の下面に当接させた状態で、底板４の通孔４ａ，…の上側から固定ピン１３，…を固定片１２の通孔１２ａ，…に挿通し、接着又は固定ピン１３，…の軸端をかしめる。このようにして、揺動部材７は、底板４前部に左右方向軸１１まわりに揺動可能に支持される。ここで、揺動部材７は、例えばポリアセタール、ポリプロピレン、ナイロン若しくはＡＢＳ等のプラスチック又はアルミニウム合金若しくは真鍮等の金属により成形される。
【００２９】
また、揺動部材７の上部には左右方向の通孔７ｂが形成されており、該通孔７ｂに当接ピン１０を嵌入することにより天板３の下面に当接する当接部９となる。揺動部材７の上部及び前部は、天板３の左右方向中央部前側部分を前後方向に切欠いた切欠部３ａから外側へ突出しており、揺動部材７の上部が操作部１６となっているため、該操作部１６を前方に操作することにより容易に前記広間隔状態Ｗとすることができるため、メガネＧの出入れを行うための操作性を向上することができる。
【００３０】
図６（ａ）に示す前記狭間隔状態Ｎから操作部１６を前方に操作して揺動部材７を前方に揺動させると、天板３の下面に当接ピン１０が当接した状態で、当接ピン１０にケース本体２の弾性変形の復元力が作用して前記当接状態が維持されて図６（ｂ）に示す前記広間隔状態Ｗとなり、左右側面開口部Ｓ，ＳからメガネＧの出入れを行うことができる。そして、メガネＧの出入れ後は、前記復元力により揺動部材７が容易に後方に揺動するため容易に図６（ａ）に示す前記狭間隔状態Ｎにすることができる。このような構成により、ケース本体２及び揺動部材７からなるメガネケース２の構成がより簡素となるため、コストをより低減することができる。
【００３１】
図６（ａ）に示す前記狭間隔状態Ｎでは、揺動部材７の当止部７ｃが底板４の上面に当止めされて該揺動部材７の後方への揺動が規制され、図６（ｂ）に示す前記広間隔状態Ｗでは、揺動部材７の当止部７ｄが底板４の上面に当止めされて該揺動部材７の前方への揺動が規制される。前記狭間隔状態Ｎでは、後方への揺動が規制された揺動部材７の当接部９である当接ピン１０が天板３の下面に当接するため、前記狭間隔状態Ｎにおいて、該間隔が狭くなるのを抑制するように揺動部材７が天板３と底板４との間に介在している。したがって、天板３と底板４との間に収容したメガネＧの保護性能をより向上させることができる。
【００３２】
また、ケース本体２の内面側には、例えばポリエチレン若しくはポリウレタン等からなる合成樹脂フォーム又は発泡スチレン等からなる緩衝材１５が貼付されており、ケース本体２と収容するメガネＧとの間に介在するため、メガネＧの保護性能をより向上させている。なお、緩衝材１５を、ケース本体２の内面側の一部のみに複数の緩衝材を分離して貼付してもよい。例えば、緩衝材１５を天板３及び底板４の内面側のみに貼付する構成であってもよい。
【００３３】
図３に示すように、天板３は、左右方向の中央から左右に行くにしたがって下降するように湾曲する形状とされ、人の両目のまわりの形状に合わせて湾曲して形成されるメガネＧの形状に合わせている。したがって、天板３がメガネＧの形状に沿うと共に前記狭間隔状態Ｎにおける左右側面開口部Ｓ，Ｓがより小さくなるため、メガネＧをより安定かつ確実に保持することができる。また、図１に示すように、前記狭間隔状態Ｎでは、メガネＧの左右の鼻当ての間に揺動部材７が介挿されるため、メガネＧはさらに安定かつ確実に保持される。
【００３４】
実施の形態２．
図８〜図１３は本発明の実施の形態２に係るメガネケースの構成を示す説明図であり、図８はメガネを収容して保持した状態（狭間隔状態）を示す斜視図、図９はメガネの出入れ可能な状態（広間隔状態）を示す斜視図、図１０は狭間隔状態の正面図、図１１は同じく平面図、図１２は同じく右側面図、図１３は同じく縦断右側面図（図１０の矢視Ｂ−Ｂ断面図）であり、図１３（ａ）は狭間隔状態を、図１３（ｂ）は広間隔状態を示している。図８〜図１３において、実施の形態１の図１〜図７と同一符号は、同一又は相当部分を示している。
【００３５】
実施の形態１と同様に、天板３の前側部分は前方に行くにしたがって下降するように湾曲しており、ケース本体２は前記狭間隔状態Ｎから前記広間隔状態Ｗに近づくにしたがって弾性変形量が大きくなるように形成されている。切替手段６は、本実施の形態では、前記天板３の下面に当接する当接部９が上部に設けられ、下部が前記底板４前部に前後スライド可能に下部が支持されたスライド部材８である。また、スライド部材８の上部には左右方向の通孔８ｂが形成されており、該通孔８ｂに当接ピン１０を嵌入することにより天板３の下面に当接する当接部９となる。
【００３６】
図１３に示すように、スライド部材８の下部に形成された前後方向に延び後方を開放した切欠部８ａ内に底板４を介挿し、底板４の左右方向中央部前側部分に形成された前後方向の長孔４ｃ内に前後のガイドピン１４，１４を挿通して該ガイドピン１４，１４をスライド部材８に固定すれば、長孔４ａ内をガイドピン１４，１４が前後方向にスライドするため、スライド部材８下部は底板４前部に前後スライド可能に支持される。ここで、スライド部材８は、例えばポリアセタール、ポリプロピレン、ナイロン若しくはＡＢＳ等のプラスチック又はアルミニウム合金若しくは真鍮等の金属により成形される。
【００３７】
このような構成によれば、図１３（ａ）に示す前記狭間隔状態Ｎから操作部１６を前方に操作してスライド部材８を前方にスライドさせると、天板３の下面に当接ピン１０が当接した状態で、当接ピン１０にケース本体２の弾性変形の復元力が作用して前記当接状態が維持されて図１３（ｂ）に示す前記広間隔状態Ｗとなり、左右側面開口部Ｓ，ＳからメガネＧの出入れを行うことができる。そして、メガネＧの出入れ後は、前記復元力によりスライド部材８が容易に後方にスライドするため容易に図１３（ａ）に示す前記狭間隔状態Ｎにすることができる。このような構成によっても、実施の形態１と同様の作用効果を奏する。
【００３８】
また、図１３（ａ）に示すように、スライド部材８の当接ピン１０が天板３の下面に当接して下側から天板３を支持するため、前記狭間隔状態Ｎにおいて、該間隔が狭くなるのを抑制するようにスライド部材８が天板３と底板４との間に介在している。したがって、実施の形態１と同様に天板３と底板４との間に収容したメガネＧの保護性能をより向上させることができる。
【００３９】
以上の説明においては、当接部９を天板３の下面に当接するものとして、該当接部９を揺動部材７又はスライド部材８に設けた当接ピン１０により構成する場合を示したが、当接部を天板３の上面及び下面に当接する上下２本のピン等として、天板３を挟持する構成としてもよい。
【００４０】
また、以上の説明においては、ケース本体２が変形していない自由状態で前記狭間隔状態Ｎとなる場合について説明したが、前記自由状態で前記広間隔状態Ｗであってもよいし、あるいは、前記自由状態で前記狭間隔状態Ｎと前記広間隔状態Ｗとの中間の状態であってもよい。このようなケース本体２が変形していない自由状態で前記狭間隔状態Ｎとならない場合であっても、切替手段６がケース本体２を前記狭間隔状態Ｎと前記広間隔状態Ｗとを切替えることにより、前記狭間隔状態Ｎにおいてケース本体２内にメガネＧを保持し、前記広間隔状態Ｗにおいてケース本体２の左右側面開口部Ｓ，ＳからメガネＧを出入れすることができる。
【図面の簡単な説明】
【００４１】
【図１】本発明の実施の形態１に係るメガネケースにメガネを収容して保持した状態（狭間隔状態）を示す斜視図である。
【図２】同じくメガネの出入れ可能な状態（広間隔状態）を示す斜視図である。
【図３】本発明の実施の形態１に係るメガネケースの狭間隔状態における正面図である。
【図４】同じく平面図である。
【図５】同じく右側面図である。
【図６】図３の矢視Ａ−Ａ断面図であり、（ａ）は狭間隔状態を、（ｂ）は広間隔状態を示している。
【図７】ケース本体及び切替手段の分解斜視図である。
【図８】本発明の実施の形態２に係るメガネケースにメガネを収容して保持した状態（狭間隔状態）を示す斜視図である。
【図９】同じくメガネの出入れ可能な状態（広間隔状態）を示す斜視図である。
【図１０】本発明の実施の形態２に係るメガネケースの狭間隔状態における正面図である。
【図１１】同じく平面図である。
【図１２】同じく右側面図である。
【図１３】図１０の矢視Ｂ−Ｂ断面図であり、（ａ）は狭間隔状態を、（ｂ）は広間隔状態を示している。
【符号の説明】
【００４２】
Ｆ  前面開口部
Ｓ  側面開口部
Ｎ  狭間隔状態
Ｗ  広間隔状態
Ｇ  メガネ
１  メガネケース
２  ケース本体
３  天板
３ａ  切欠部
４  底板
４ａ  長孔
４ｂ  通孔
４ｃ  長孔
５  連結板
６  切替手段
７  揺動部材
７ａ，７ｂ  通孔
７ｃ，７ｄ  当止部
８  スライド部材
８ａ  切欠部
８ｂ  通孔
９  当接部
１０  当接ピン
１１  左右方向軸
１２  固定片
１２ａ  通孔
１３  固定ピン
１４  ガイドピン
１５  緩衝材
１６  操作部
【図１】
0004848730.tif 000002
【図２】
0004848730.tif 000003
【図３】
0004848730.tif 000004
【図４】
0004848730.tif 000005
【図５】
0004848730.tif 000006
【図６】
0004848730.tif 000007
【図７】
0004848730.tif 000008
【図８】
0004848730.tif 000009
【図９】
0004848730.tif 000010
【図１０】
0004848730.tif 000011
【図１１】
0004848730.tif 000012
【図１２】
0004848730.tif 000013
【図１３】
0004848730.tif 000014